(57)【要約】【課題】  いびきをかいている就寝者の頭部を、安眠を妨げないように斜め横向きにするいびき抑制用枕を提供することを目的とする。また、本発明は、このいびき抑制用枕を利用したいびき抑制装置を提供することを目的とする。【解決手段】  本発明に係るいびき抑制用枕１は、左右対称的に形成された一対の空気袋１１ａ、１１ｂを、中央部で上下に重なるように左右対称的に配置している。各空気袋１１ａ、１１ｂは、表裏２枚の気密性を有するシート材を重ね合わせて外周部で接合されるとともに、中央部で重なる重畳部１６を有している。そして、この一対の空気袋１１ａ、１１ｂは、枕１の中央部で基盤部材１２に固定されている。また、本発明に係るいびき抑制装置は、このような枕１を用いたものである。【選択図】      図１
2006026024.tif 000002
【特許請求の範囲】
【請求項１】
膨張収縮させる左右一対の空気袋と、この左右一対の空気袋を載置固定する基盤部材とを内蔵し、
左右一対の空気袋を構成する各空気袋は、表裏２枚の気密性を有するシート材を重ね合わせて外周部で接合したものであり、
さらに、上記各空気袋は、左右対称的に形成されて、枕の左右方向の中央部で上下に重なる重畳部を形成するように左右対称的に配置されるとともに、枕の左右方向の略中心部で基盤部材に固定されてなることを特徴とするいびき抑制用枕。
【請求項２】
前記左右一対の空気袋は、それぞれ就寝者の身体側の辺及び頭上側の辺における重畳部に位置する部分から、基盤部材に連結するための軟質性部材からなる留め代を延設し、この留め代の先端部が基盤部材に固定されるとともに、身体側の辺に設けられた留め代の長さが頭上側の辺に設けられた留め代より長く形成されていることを特徴とする請求項１記載のいびき抑制用枕。
【請求項３】
前記左右一対の空気袋は、前記留め代の基盤部材側端部において、共通の固定部材により、共通の位置で基盤部材に固定されていることを特徴とする請求項２記載のいびき抑制用枕。
【請求項４】
前記左右一対の空気袋は、それぞれ重畳部に表裏２層のシートを接合したシーム部を有することを特徴とすることを特徴とする請求項１〜３の何れか１項に記載のいびき抑制用枕。
【請求項５】
前記シーム部は、各空気袋の中央側端部から反対側端部の方向に延びる少なくとも１本の線状又は帯状の所定長さの接合部により形成されていることを特徴とする請求項４記載のいびき抑制用枕。
【請求項６】
前記空気袋の上部に発泡ウレタンからなるクッション材を乗せ、基盤部材、空気袋及び発泡ウレタン製クッション材を積層したものを、低発泡性ウレタンからなる外側クッション材で巻き込み、さらに伸縮性のある布製のカバーで覆ったことを特徴とする請求項１〜５の何れか１項に記載のいびき抑制用枕。
【請求項７】
前記外側クッション材は、就寝者の身長方向に巻き込むように形成されていることを特徴とする請求項６記載のいびき抑制用枕。
【請求項８】
前記外側クッション材は、就寝者の盆の窪当接部分が分厚く形成されていることを特徴とする請求項６又は７記載のいびき抑制用枕。
【請求項９】
前記重畳部の左右方向の重なり寸法が約５ｃｍ以上に形成されていることを特徴とする請求項８の何れか１項に記載のいびき抑制用枕。
【請求項１０】
請求項１〜９の何れか１項記載のいびき抑制用枕と、就寝者が発生するいびきを感知するいびきセンサと、空気袋に空気を供給する空気ポンプと、空気袋への給気及び空気袋内空気の排気を行う空気制御弁と、いびきセンサによりいびきが検出されたときに頭部が位置する側の空気袋に空気を供給するように空気ポンプ及び空気制御弁を制御する制御装置とを備えたことを特徴とするいびき抑制装置。
【請求項１１】
前記制御装置は、いびきセンサによりいびきが検知されたときに、気圧センサにより左右一対の空気袋それぞれの内圧を検知して両者の気圧差を比較し、内圧が高い側に就寝者の頭部が載っていると判断する頭位置判定手段と、
頭位置判定手段により頭部が載っていると判断された側の空気袋に給気して、この空気袋を一定時間膨張状態に維持し、いびきセンサによりいびき音が低減したと判断されたとき、あるいは、所定の保持時間を経過したときに、前記膨張状態の空気袋を排気するように制御するいびき抑制制御手段とを備えていることを特徴とする請求項１０記載のいびき抑制装置。
【発明の詳細な説明】
【技術分野】
【０００１】
本発明は、いびき抑制用枕及びこの枕を使用したいびき抑制装置に関するものである。
【背景技術】
【０００２】
いびき抑制装置として特許文献１のようないびき抑制装置が知られている。この装置は、いびきをかく人の頭部を左右に振動させることでいびきを止めるようにしたものである。しかしながら、この方法は、熟睡状態から目覚める方向の刺激を就寝者に与えるため、就寝者にとっては好ましい方法ではない。
【０００３】
また、上記の方法とは別に、特許文献２に記載されたいびき抑制装置が知られている。特許文献２によれば、この装置は、マットレスを多数区分に分割し、その区分に空気、液体又はゲル状の流体を充填する。また、各分割された部分にはそれぞれ圧力、振動、温度を感知するセンサが設けられている。そして、このセンサからの情報に基づき就寝者の位置、呼吸数、心拍、いびき、うめきなどを検出し、これら情報を基に、寝返りを誘発するようにマットレスの形状を時間的に変化させる、寝返りによりいびきを停止させるようにしたものであると記述されている。
【０００４】
しかしながら、この従来装置は、多数のセルを制御する必要があるため、構成が複雑となることが推測される。このため装置全体として大型化し、重量が増加することが容易に予測されるものであって、一般家庭向きでないものである。また、この文献自体には、就寝者の安眠を妨げないようにマットレスの形状を変化させるという抽象的記載はあるが、具体的な方法、装置については言及されていない。したがって、この特許文献２は、抽象的アイデアを記載しているのみで、就寝者の安眠を妨害せずにいびきを防止する具体的装置については具体的に開示されていない。
【特許文献１】登録実用新案公報第３０６３２１９号公報
【特許文献２】特開平１１−３４２０４９号公報
【特許文献３】実開平４８−４５４９７号公報
【発明の開示】
【発明が解決しようとする課題】
【０００５】
本発明者は、いびきをかいている人の睡眠を妨げずにいびきを止める方法を研究した。その結果、横臥姿勢で寝ている人からのいびきの発生及びいびきの音量は、仰臥している人からのいびきの発生及びいびきの音量に比較して格段に低くなるということが分かった。また、いびきをかいている就寝者の安眠を妨げないようにいびきを止めるには、いびきをかいている就寝者を無意識のうちに横臥姿勢にさせることが効果的な方法であることを見出した。また、このためには頭部を斜め横向きにするように、枕の左右何れか一方を持ち上げて枕を傾動させることが有効な手段であることを見出した。しかしながら、このように枕の左右何れか一方を持ち上げていびきをかいている就寝者の頭部を斜め横向きにするための適切ないびき抑制用枕が従来開発されていなかった。
【０００６】
因みに、枕の左右何れか一方を持ち上げる方法として、左右一対の空気袋を用いた枕を想定することができる。しかし、単純に外周を接合しただけの空気袋を左右一対設けたものでは次のような問題がある。単純に外周を接合しただけの空気袋（左側空気袋と右側空気袋とは同一形状とする）は、通常、膨張前には図３２のような平面を有し、これを膨張させると図３３及び図３４に示すように中央部が最も高い位置１０６となる。なお、図３４において、破線は等高線を示している。したがって、図３５に示すように、このような２個の空気袋１０１を左右一対にしてカバー１０８内に収納した枕１００では、膨張時に最も高くなる点１０６が空気袋１０１の中央よりにあるため、就寝者の頭部１０３が左側の空気袋１０１の端部よりの位置に載っている場合に、頭部１０３が枕外に落ちてしまう恐れが高い。依って、空気袋１０１の外側端部から中央側端部に向かって高から低となるような傾斜を有するものが望まれる。なお、図３５に示すように、枕１００としては、ウレタンフォームなどからなる上下クッション材１０４、１０５を組み合わされたものをカバー１０８内に収納したものを想定している。
【０００７】
空気袋を左右に傾斜させることに関しては、特許文献３に、床ずれや内臓の機能衰弱を防止するための医療用マットとして、その一方法が記載されている。この医療用マットを図３６及び図３７により説明する。これら図に示すように、この空気袋１１１は、蛇行状の仕切部１１２により、独立的に膨張収縮する左右２個の空気室に分割されている。この特許文献３は、左右の空気室１１３、１１４を膨張収縮させることにより患者１１５の体位を左右に傾斜させるものである。そこで、この特許文献３を参考にして、左右に傾動可能な空気袋を内装した枕を形成することが考えられる。特許文献３と同様の蛇行状の仕切り部を設けた空気袋１１６（図３８及び図３９参照）を考える場合、蛇行形状をそのままとすると、図３８に示すように蛇行寸法が粗くなる。この場合、図３９に示すように膨張高さＬ１は大きくなるが、空気袋１１６上の頭部１１７に対する接触部分が左右で不均衡になる。すなわち、図３８に示すように、頭部１１７の左側はＡ部で接触し、頭部１１７の右側はＢ部及びＣ部で接触するため、左右で不均衡になり左右で均等な頭部１１７の傾け効果が得られなくなる。一方、蛇行寸法を細かくすると、図４０に示すように、頭部１１７に対する接触の仕方が左右で略均等になるが、膨張部分が仕切部の頂点により制約されるため、蛇行間隔が細かくなるほど少なくなり、図４１に示すように、この場合の膨張高さＬ２が低くなり頭部１１７の傾け効果が小さくなる。
【０００８】
そこで、本発明は、従来技術におけるこのような問題点に鑑みなされたものであって、いびきをかいている就寝者の頭部を、安眠を妨げないように斜め横向きにするいびき抑制用枕を提供することを目的とする。また、本発明は、このいびき抑制用枕を利用したいびき抑制装置を提供することを目的とする。
【課題を解決するための手段】
【０００９】
本発明は、上記課題を解決するためになされたものであって、第１の発明に関するいびき抑制用枕は、膨張収縮させる左右一対の空気袋と、この左右一対の空気袋を載置固定する基盤部材とを内蔵し、左右一対の空気袋を構成する各空気袋は、表裏２枚の気密性を有するシート材を重ね合わせて外周部で接合したものであり、さらに、上記各空気袋は、左右対称的に形成されて、枕の左右方向の中央部で上下に重なる重畳部を形成するように左右対称的に配置されるとともに、枕の左右方向の略中心部で基盤部材に固定されてなることを特徴とする。
【００１０】
また、第２の発明は、上記第１の発明において、前記左右一対の空気袋は、それぞれ就寝者の身体側の辺及び頭上側の辺における重畳部に位置する部分から、基盤部材に連結するための軟質性部材からなる留め代を延設し、この留め代の先端部が基盤部材に固定されるとともに、身体側の辺に設けられた留め代の長さが頭上側の辺に設けられた留め代より長く形成されていることを特徴とする。
【００１１】
また、第３の発明は、前記第２の発明において、前記左右一対の空気袋は、前記留め代の基盤部材側端部において、共通の固定部材により、共通の位置で基盤部材に固定されていることを特徴とする。
【００１２】
また、第４の発明は、前記第１〜３の何れかの発明において、前記左右一対の空気袋は、それぞれ重畳部における就寝者の身長方向の略中央部に表裏２層のシートを接合したシーム部を有することを特徴とすることを特徴とする。
【００１３】
また、第５の発明は、前記第４の発明において、前記シーム部は、各空気袋の中央側端部から反対側端部の方向に延びる少なくとも１本の線状又は帯状の所定長さの接合部により形成されている。
【００１４】
また、第６の発明は、前記第１〜５の何れかの発明において、前記空気袋の上部に発泡ウレタンからなるクッション材を乗せ、基盤部材、空気袋及び発泡ウレタン製クッション材を積層したものを、低発泡性ウレタンからなる外側クッション材で巻き込み、さらに伸縮性のある布製のカバーで覆ったことを特徴とする。
【００１５】
また、第７の発明は、前記第６の発明において、前記外側クッション材は、就寝者の身長方向に巻き込むように形成されていることを特徴とする。
また、第８の発明は、前記第７の発明において、前記外側クッション材は、就寝者の盆の窪当接部分が分厚く形成されていることを特徴とする。
【００１６】
また、第９の発明は、前記第１〜８の何れかの発明において、前記重畳部の左右方向の重なり寸法が約５ｃｍ以上に形成されていることを特徴とする。
また、第１０の発明に関するいびき抑制装置は、前記第１〜９の発明に係るいびき抑制用枕の何れかと、就寝者が発生するいびきを感知するいびきセンサと、空気袋に空気を供給する空気ポンプと、空気袋への給気及び空気袋内空気の排気を行う空気制御弁と、いびきセンサによりいびきが検出されたときに頭部が位置する側の空気袋に空気を供給するように空気ポンプ及び空気制御弁を制御する制御装置とを備えたことを特徴とする。
【００１７】
また、第１１の発明は、第１０の発明において、前記制御装置は、いびきセンサによりいびきが検知されたときに、気圧センサにより左右一対の空気袋それぞれの内圧を検知して両者の気圧差を比較し、内圧が高い側に就寝者の頭部が載っていると判断する頭位置判定手段と、頭位置判定手段により頭部が載っていると判断された側の空気袋に給気して、この空気袋を一定時間膨張状態に維持し、いびきセンサによりいびき音が低減したと判断されたとき、あるいは、所定の保持時間を経過したときに、前記膨張状態の空気袋を排気するように制御するいびき抑制制御手段とを備えていることを特徴とする。
【発明の効果】
【００１８】
第１の発明に係るいびき抑制用枕によれば、膨張収縮させる一対の空気袋を内蔵し、この一対の空気袋を構成する各空気袋を、表裏２枚の気密性を有するシート材を重ね合わせて外周部で接合したものとするとともに、枕の左右方向の略中心部で基盤部材に固定しているので、枕の外側端部から枕の中央部に向かう傾斜を形成することができる。また、一対の空気袋が左右対称的に形成されているので、特許文献３に示されるような蛇行状の仕切り部を設けた場合に起こり得る、頭部に対する接触の仕方の左右不均等の問題や膨張量不足の問題も回避することができる。また、各空気袋を左右対称的に形成するとともに、枕の左右方向の中央部で上下に重なる重畳部を形成するように左右対称的に配置しているので、枕の外側端部から枕の中央部に向かう傾斜を形成しつつ、枕の中央部における頭部の持ち上げ寸法を大きく取ることが可能となる。
【００１９】
また、第２の発明に係るいびき抑制用枕によれば、第１の発明において、左右一対の空気袋は、それぞれ就寝者の身体側の辺及び頭上側の辺における重畳部に位置する部分から、基盤部材に連結するための軟質性部材からなる留め代を延設し、この留め代の先端部が基盤部材に固定されるとともに、身体側の辺に設けられた留め代の長さが頭上側の辺に設けられた留め代より長く形成されているので、身体側の辺部を頭上側の辺部に比し高くすることができる。したがって本発明に係るいびき抑制用枕によれば、就寝者の頭部を持ち上げるときに特に盆の窪を高く持ち上げることができるので、いびきをかいている人の気道を塞いでいる肉部を押し上げて、気道を強制的に開けることができ、いびきを速やかに止めることができる。
【００２０】
また、第３の発明に係るいびき抑制用枕によれば、第２の発明において、左右一対の空気袋を、留め代の基盤部材側の端部において共通の固定部材により共通の位置で基盤部材に固定しているので、左右対称的に固定される。また、固定構造を簡潔にすることができる。
【００２１】
また、第４の発明に係るいびき抑制用枕によれば、第１〜３の何れかの発明において、前記左右一対の空気袋は、それぞれ重畳部に表裏２層のシートを接合したシーム部を備えているので、シーム部を備えていない左右方向の端部よりの位置を最高膨張高さ点とすることができ、外側端部から中央の重畳部に向けて高から低となる傾斜面を形成することができる。したがって、このような空気袋を用いると、単純に外周を接合しただけの従来の空気袋を用いた場合に比し、頭部が枕外に落ちる恐れが小さくなる。
また、第５の発明に係るいびき抑制用枕によれば、第４の発明において、前記シーム部を、各空気袋の中央側端部から反対側端部の方向に延びる少なくとも１本の線状又は帯状の所定長さの接合部により形成しているので、簡易な構造により枕の中央部を最下点とする傾斜を形成することができる。
【００２２】
また、第６の発明に係るいびき抑制用枕によれば、第１〜５の何れかの発明において、空気袋の上部に発泡ウレタンからなるクッション材を乗せ、基盤部材、空気袋及び発泡ウレタン製クッション材を積層したものを、低発泡性ウレタンからなる外側クッション材で巻き込んでいるので、クッション性を良好にすることができる。また、外側クッション材は低発泡性ウレタンにより形成されているので、就寝時、頭部に沿った型が形成され、頭部の位置に安定感が増し、就寝者に熟睡効果をもたらせることができる。また、これら積層部材を伸縮性のある布製のカバーで覆っているので、積層構造を保持しやすくなる。
【００２３】
また、第７の発明に係るいびき抑制用枕によれば、第６の発明において、外側クッション材を就寝者の身長方向に巻き込むように形成しているので、外側クッション材の左右方向へのずれを軽減することができる。外側クッション材のずれは、クッション材の巻き込みを左右方向にした場合に、空気袋の膨張収縮により生ずる引張力の方向と一致するため、クッション材にずれが生じやすくなる。しかし、本発明の場合は、クッション材の巻き込み方向と空気袋の膨張収縮による引張力の方向とが直角になるため、外側クッション材の左右方向へのずれが抑止される。
【００２４】
また、第８の発明に係るいびき抑制用枕によれば、第６又は７の発明において、外側クッション材は、就寝者の盆の窪当接部分を分厚く形成しているので、就寝者の盆の窪を持ち上げる形状になり、より一層いびきの防止を行い易くなる。
【００２５】
また、第９の発明に係るいびき抑制用枕によれば、第１〜８の発明において、前記重畳部の左右方向の重なり寸法を約５ｃｍ以上に形成しているので、就寝者の体格面における個人差の影響を軽減することができる。これは実験的に確認された効果である。
【００２６】
また、第１０の発明に係るいびき抑制装置によれば、第１発明〜第９発明に係るいびき抑制用枕の何れかの枕と、就寝者が発生するいびきを感知するいびきセンサと、空気袋に空気を供給する空気ポンプと、空気袋への給気及び空気袋内空気の排気を行う空気制御弁と、いびきセンサによりいびきが検出されたときに頭部が位置する側の空気袋に空気を供給するように空気ポンプ及び空気制御弁を制御する制御装置とを備えているので、就寝者のいびきがいびきセンサにより検出されたときに、就寝者に刺激を与えることなく柔らかに就寝者の頭部を横向きにすることができる。また、これにより就寝者に対し横臥姿勢への寝返りを誘発し、その結果就寝者のいびき音を低減することができる。
【００２７】
また、第１１の発明に係るいびき抑制装置によれば、第１０の発明において、いびきセンサによりいびきが検知されたときに、気圧センサにより左右一対の空気袋それぞれの内圧を検知して両者の気圧差を比較し、内圧が高い側に就寝者の頭部が載っていると判断する頭位置判定手段を備えているので、的確に頭部の位置を判断することができる。また、頭位置判定手段により頭部が載っていると判断された側の空気袋に給気して、この空気袋を一定時間膨張状態に維持し、いびきセンサによりいびき音が低減した判断されたとき、あるいは、所定の保持時間を経過したときに、前記膨張状態の空気袋を排気するように制御するいびき抑制制御手段とを備えているので、適切にいびき抑制のための動作を行うことができる。
【発明を実施するための最良の形態】
【００２８】
本発明を具体化した実施の形態に係るいびき抑制装置を図面に基づき説明する。本装置は、図１に示すように大別して、いびき抑制用枕１と制御装置２とから構成されている。先ず、枕１の具体的構成について説明する。図２は、本実施の形態に係る枕の側面図である。この図に示されるように、枕１は、枕１を膨張収縮させる空気袋１１、空気袋１１を載置して固定する発泡ウレタン製基盤部材１２、空気袋１１の上部に載せられる発泡ウレタン製クッション材１３、全体を包み込む低反発ウレタン製の外側クッション材１４、布製のカバ−１５から構成されている。
【００２９】
また、図３〜図１１は、基盤部材１２上に空気袋１１を載置した状態図である。図３は左側空気袋１１ａが膨張した状態における平面図である。図４は図３におけるＡ−Ａ断面図、図５は図３におけるＢ−Ｂ断面図、図６は図３におけるＣ−Ｃ断面図、図７は図３におけるＤ−Ｄ断面図、図８は図３におけるＥ−Ｅ断面図であり、図９におけるＩ−Ｉ断面図である。図９は左右の空気袋１１ａ、１１ｂが収縮した状態における平面図である。図１０は図９におけるＦ−Ｆ断面図、図１１は図９におけるＧ−Ｇ断面図、図１２は図９におけるＨ−Ｈ断面図である。なお、以下の説明においては、図３及び図９に示すＸ方向が就寝者の身体側であり、Ｙ方向が就寝者の頭上側であり、Ｚ方向を左側、Ｗ方向を右側と称するものとする。また、ＺーＷ方向を就寝者の身長方向とする。
【００３０】
空気袋１１は、略左右対称的に形成された左右一対の空気袋１１ａ、１１ｂからなる。また、各空気袋１１ａ、１１ｂは、表裏２枚の軟質性シート材を重ね合わせて外周部で接合して袋部が形成されたものである。この軟質性シートとしては、伸縮性材料からなるシート又は非伸縮性材料からなるシートを用いることができる。また、伸縮性材料からなるシートとしては、ゴム又は弾性樹脂からなるシートを挙げることができる。また、非伸縮性材料からなるシートとしては、ナイロン、ナイロンナフタで補強したポリエチレン、生地付ウレタン又は布などからなるシートを挙げることができる。また、軟質性シートとして伸縮性材料と非伸縮性材料との中間的な材料を用いてもよく、このような材料としてウレタンシートを挙げることができる。また、これらシートの接合方法として、接着剤で接着する方法、溶着により接合する方法などを用いることができる。
【００３１】
また、各空気袋１１ａ、１１ｂは、これら図に示すように、基盤部材１２の上面側に載置固定されるものであって、基盤部材１２の左右方向の中央部で重なる重畳部１６が形成されるように左右対称的に配置される。また、各空気袋１１ａ、１１ｂは、図３及び図９に示すように、それぞれ、枕１の中央側であって、就寝者の身長方向の中央部に表裏２枚のシートを接合して形成されたシーム部１８が設けられている。また、各空気袋１１ａ、１１ｂは、外側よりの頭上側に空気給排気口１７が設けられている。
【００３２】
シーム部１８は、空気袋１１ａ、１１ｂの中央側端部から反対側（左側）端部の方向に延びる２本の直線状接合部１８ａ、１８ｂの先端部を円弧状接合部１８ｃにより結合したものである。また、空気袋１１ａ、１１ｂの中央側端部の外周に外周接合部が形成されているので、２本の直線状接合部１８ａ、１８ｂと外周接合部との間に給気されない袋状部１８ｄが形成されている。シーム部１８は、この袋状部１８ｄを含めていう。また、このシーム部１８は、左右一対の空気袋１１ａ、１１ｂの重畳部１６（図１参照）内に入るように形成されている。
【００３３】
このように、空気袋１１にシーム部１８を設けたのは次のような理由による。空気袋１１に上記のようなシーム部１８を設けて膨張させると、図１３〜図１６の模式図に示すように、空気袋１１は、中央側（これら図では右側）での膨張高さが小さくなり、最高膨張高さ点１９が、図１４及び図１５から分かるように、空気袋１１の中央部ではなく外側端部（これら図では左側）よりに形成される。これにより、空気袋１１自体、膨張することにより外側端部（これら図では左側）から中央側端部（これら図では右側）に向かって高から低となる傾斜する形状となる。したがって、このような空気袋１１を利用した枕１では、図１６に示すように、最高膨張高さ点１９を外側よりに形成することにより、就寝者の頭部２５が枕１外に落ち難くなる。なお、この図においては、本実施の形態における外側クッション材１４を省略して簡略に図示している。
【００３４】
また、前述の実施の形態において、空気袋１１を枕１の中央部で固定しているが、その理由は、外側端部から中央側端部に向かって高から低となるような傾斜を付けやすいことによる。これを図１７〜図２０に基づき空気袋の固定位置と空気袋の傾斜との関係を示して説明する。図１７〜図２０は、空気袋１１を発泡ウレタン製の基盤部材１２上に載置して固定した状態の模式正面図（すなわち、就寝者の身体側から見た模式図）であって、空気袋１１の固定位置により膨張させた空気袋がどのように傾斜するかを示したものである。これら図において、２０は固定位置を示す。なお、空気袋１１としては、前述のようなシーム部１８を設けたもので示している。
【００３５】
図１７は、基盤部材１２の外側端２７（これら図では左側）よりの位置であって、かつ、空気袋１１の最高膨張高さ点１９付近に固定位置２０を設けたものである。この場合には、空気袋１１の両側が持ち上がった状態となり、中央側端２６に下る傾斜を得ることができないので、好ましくない。また、図１８は、基盤部材１２の外側端２７近くに固定位置２０を設けたもので、この場合には中央側端２６が高くなり好ましい方向と逆の方向に傾斜する。依って、この図１８の場合も好ましくない。また、図１９は、空気袋１１の両端部に固定位置２０を設けたもので、この場合には、中央部のみが高かくなり、有効な傾斜を得ることができない。また、基盤部材１２を成す発泡ウレタン板が膨張する空気袋１１の中央部に向かって引っ張られ歪んでしまうという問題も生ずる。したがって、この図１９の場合も好ましくない。図２０は、基盤部材１２の中央側に固定位置を設けたものであり、この場合には、空気袋の中央側端２６が低くなり外側端２７が高くなる理想どおりの傾斜を得ることができる。
【００３６】
また、本実施の形態においては、前述のように、枕１の中央部で左右の空気袋１１ａ、１１ｂを所定寸法重ねる重畳部１６を設けている（図３、４、５、７、９、１０、１２参照）。この意味を図２１の模式図により説明する。図２１において、破線が左右の枕を重ね合わせていない場合の図であり、実線は本実施の形態のように重畳部１６を形成した場合の例である。この図から分かるように、枕１の中央部で左右の空気袋１１ａ、１１ｂの端部を重ねていない場合は、枕１の中央部において頭部２５を持ち上げる高さが低くなる。これに対し、重畳部１６を設けた場合（図２１における実線の場合）は、枕１の中央部において頭部２５を持ち上げ高さが大きくなるという利点がある。
【００３７】
本実施の形態は、上記の如く構成されている結果、図５に示すように、中央部である程度の頭部持ち上げ高さを得ることが可能であり、かつ、左側端部から中央側端部に向かって高から低となる理想的な傾斜を得ることができている。なお、図４は、シーム部１８を通過する線上での断面図であり、シーム部１８では各空気袋１１ａ、１１ｂが膨張しない形状となっている。なお、この重畳部１６の重なり長さは約５ｃｍ以上とすることが好ましい。この重畳部１６の重なり長さを約５ｃｍ以上とすることによって、就寝者の体格による個人差を軽減できることが実験上分かった。
【００３８】
また、各空気袋１１は、図３、６、７、８、９、１１及び１２に示すように、頭上側及び身体側の各片から留め代２１、２２を備えている。ここにいう留め代とは、空気袋１１に一端が固定され、他端が基盤部材１２に固定されるもので、基盤部材１２と空気袋１１の頭上側及び身体側の各片との間隔を調整する機能を備えているものであり、軟質性部材からなるものをいう。本実施の形態における留め代２１、２２は、空気袋１１を構成するシートを延長して形成している。また、その先端部にフック穴を設け、基盤部材１２に取り付けられたフック２３をこの孔に係合させるようにしている。この場合において、左右の空気袋１１ａ、１１ｂのフック孔を同心に位置させることにより、空気袋１１ａ、１１ｂが共通のフック２３により共通の位置で基盤部材１２に固定されている。フック２３は、枕１の左右の中心線に１個と所定間隔を置いて左右に各１個の計３個が各留め代２１、２２の取付用に用いられている。
【００３９】
また、上記留め代２１、２２は、空気袋１１から基盤部材１２に至るシート部の長さＡ、Ｂを、頭上側と身体側とで変えている。具体的には身体側の長さＢ（図６、１１、１２参照）を頭上側の長さＡ（図６、１１、１２参照）に比し長くしている。このようにすると、図２２及び図２３の模式図の如く身体側を高くすることができる。なお、図２２は、空気袋１１が膨張していないときの形態であり、図２３は、空気袋１１が膨張したときの形態を示している。また、前記の如く身体側の留め代２２の長さＢを長くすると、空気袋１１を膨張させることにより就寝者の盆の窪を持ち上げることができる。図２４〜図２６の模式図はこれを説明するものである。図２４は枕１の高さが頭上側と身体側で変化しない平坦な場合であり、この場合はあごが水平のままとなる。その結果、気道を押し上げることができない。図２５は頭部２５の中心部を持ち上げた場合で、あごが下がった形となる。このため気道が塞がれる。このような頭部２５の持ち上げ方をすると気道が塞がれ、いびきを抑制することが困難となる。これに対して、図２６のように盆の窪２５ａを持ち上げた場合には、あごが上がる形となる。その結果、気道を塞いでいた肉部を持ち上げて気道を強制的に押し開くことができ、いびきを止めることができる。
【００４０】
また、本実施の形態に係る枕１は、上述のように構成された空気袋１１を内蔵するものであって、前述の図２に示すように、基盤部材１２、空気袋１１及び発泡ウレタン製クッション材１３を積層したものを、低発泡性ウレタンからなる外側クッション材１４で巻き込んでいる。このように、外側クッション材１４として低発泡性ウレタンを使用するのは就寝者の頭部との馴染みを良好にするためである。また、空気袋１１の膨張収縮により外側クッション材１４がずれるのを防止するために、外側クッション材１４のこの巻き込みの方向を就寝者の身長方向にしている。この場合において、本発明における外側クッション材１４は、図２に示すように、就寝者の盆の窪２５ａを持ち上げ易いように、就寝者の盆の窪当接部分１４ａを分厚く形成している。
【００４１】
以上の如く本実施の形態は、身体側の留め代２２の長さＢを就寝者の頭部側の留め代２１の長さＡより長くするとともに、外側クッション材１４における就寝者の盆の窪当接部分１４ａ分厚くすことにより、盆の窪２５ａを持ち上げると同時に、就寝者の頭部２５を中央側に傾けて身体を横向けるように刺激を与えている。
【００４２】
次に、制御装置２の構成について説明する。制御装置２は、図１に示すように、駆動部３０と制御部４０とから構成されている。駆動部３０は、いびき抑制用枕１の空気袋１１ａ、１１ｂの膨張収縮を行うための空気回路を構成する機器からなる。具体的には、空気ポンプ３１、給排気を切り換える切換用三方空気制御弁３２、左右の空気袋１１ａ、１１ｂを選択する選択用三方空気制御弁３３である。
【００４３】
一方、制御部４０は、空気ポンプ３１、各三方空気制御弁３２、３３を駆動するための駆動回路４１、いびきセンサ２８、このいびきセンサ２８からの出力を受けて、いびきの有無を判断するいびき検知回路４２、気圧センサ４３、気圧センサ４３からの出力を受けて左右空気袋１１ａ、１１ｂそれぞれの内圧を検知する圧力検知回路４４、さらに演算処理などを行うマイコン４５、使用者が本装置の設定操作などを行うために使用するスイッチ、ボタンなどからなる操作部４６、本装置の動作状況などを使用者へ提示するための、ＬＥＤ、ＬＣＤなどからなる表示部４７によって構成されている。なお、いびきセンサ２８は、図１に示すように枕１の近傍に取り付けられている。
【００４４】
上記において、気圧センサ４３、空気ポンプ３１、切換用三方空気制御弁３２、選択用三方空気制御弁３３、及び左右一対の空気袋１１ａ、１１ｂは、それぞれ、例えばシリコンチューブなどの配管によって接続されている。
【００４５】
三方空気制御弁３２、３３は、三方向に開口部を有するものであって、マイコン４５からの信号により駆動回路４１を介して２方向の開口部同士を連結するように選択的に動作するものである。より具体的には、切換用三方空気制御弁３２は、空気袋１１に対して空気ポンプ３１から給気を行のか、あるいは、空気袋１１から排気を行うかを切り換える動作をする。一方、選択用三方空気制御弁３３は、上記給気あるいは排気を、左側空気袋１１ａに対して行うのか、右側空気袋１１ｂに対して行うかの何れかを選択する動作をする。
【００４６】
空気ポンプ３１は、低い吐出圧性能のものを用いると、いびき抑制用枕１上に作用する就寝者の頭部荷重の大小により空気袋１１に発生する内圧が変動し、空気袋１１への給気速度が変化する。例えば、頭部の荷重が大きいと空気袋１１に発生する内圧が高くなり、給気速度が低下する。そこで、空気ポンプ３１には十分に大きな吐出圧を持つものを選択し、空気袋１１に発生する内圧の変動に対して略一定の給気速度で給気ができるようにしている。これにより、本実施の形態に係るいびき抑制装置では、給気時間を調整することにより給気量を制御できるようにしている。
【００４７】
次に、上記のように構成された本実施の形態に係るいびき抑制装置の動作について、図２７〜図３１に基づいて説明する。なお、各図は次のようなものである。図２７は本実施の形態に係るいびき抑制装置の動作全体を説明するフローチャートである。図２８は図２７における予備給気について説明するフローチャートである。図２９は図２７における頭位置判定について説明するフローチャートである。図３０は図２７におけるいびき抑制動作について説明するフローチャートである。図３１は図２７における追加給気について説明するフローチャートである。
【００４８】
本実施の形態に係るいびき抑制装置は、操作部４６により運転操作すると、図２７に示すように、先ず枕１内の左右の空気袋１１ａ、１１ｂに対して予備給気（ステップＳ１０）が行われる。予備給気（ステップＳ１０）の具体的な処理内容は、図２８に示されるように、切換用三方空気制御弁３２を給気可能な位置にし（ステップＳ１０１）、次いで選択用三方空気制御弁３３を左側空気袋１１ａに対して連通させる（ステップＳ１０２）。次いで空気ポンプ３１を作動させて左側空気袋１１ａに給気を行う（ステップＳ１０３）。所定の予備給気時間が経過すれば（ステップＳ１０４）、空気ポンプ３１を停止する（ステップＳ１０５）。続いて、選択用三方空気制御弁３３を右側空気袋１１ｂに連通するように切り換えて（ステップＳ１０６）、左側空気袋１１ａの場合と同様に、空気ポンプ３１を作動させて右側空気袋１１ｂに給気を行う（ステップＳ１０７）。所定の予備給気時間が経過すれば（ステップＳ１０８）、空気ポンプ３１を停止する（ステップＳ１０９）。
【００４９】
予備給気時間については、使用する空気ポンプ３１、左右一対の空気袋１１ａ、１１ｂの性能・仕様に応じて、就寝者の頭部２５が載ることによって適度な内圧が発生するように、例えば、頭部２５が枕１の中央にある場合に、左右一対の空気袋１１ａ、１１ｂの内圧としてゲージ圧０．５ｋＰａ程度が発生するように設定し、予めマイコン４５に記憶させておく。
【００５０】
予備給気（ステップＳ１０）が終了した後、使用者が操作部４６を操作して設定した本装置の運転時間を読み込み、運転タイマの時間設定を行って運転タイマをスタートさせる（ステップＳ２０）。なお、上記において、使用者が操作部４６を操作して運転時間を設定していない場合は、予めマイコン４５に記憶させた既定値を用いて運転タイマの時間設定が行われる。
【００５１】
運転タイマがスタートした後は、所定の周期にしたがって、運転タイマの終了判定（ステップＳ３０）を行い、運転タイマが終了するまでの間、いびきセンサ２８と、いびき検知回路４２とによっていびき検知動作を繰り返す（ステップＳ４０）。いびきの発生を検知すると、頭位置判定（ステップＳ５０）の動作へ移行する。
【００５２】
頭位置判定（ステップＳ５０）の具体的な処理内容は、図２９に示されるように、選択用三方空気制御弁３３を切り換えて、左側空気袋１１ａと気圧センサ４３とを連通した状態にする。そして、圧力検知回路４４を介して気圧センサ４３の出力を取り込み、左側空気袋１１ａの圧力値としてマイコン４５内のメモリに記憶させる（ステップＳ５０２）。次に、選択用三方空気制御弁３３を切り換えて（ステップＳ５０３）、右側空気袋１１ｂと気圧センサ４３連通させて、左側空気袋１１ａの場合と同様にして、右側空気袋１１ｂの圧力値をマイコン４５内のメモリに記憶させる（ステップＳ５０４）。続いて、記憶させた左右の圧力値を比較することにより（ステップＳ５０５）、枕１上の就寝者の頭部２５は、圧力の高い側に載っていると判断する（ステップＳ５０６）。このようにして一連の頭位置判定動作（ステップＳ５０）を終了する。なお、本発明における頭位置検出手段は、上記ステップＳ４０〜Ｓ６０の処理を内容とするものである。
【００５３】
次に、頭位置判定（ステップＳ５０）にて頭部２５が載っていると判断された側の空気袋１１ａ、１１ｂに対して、選択用三方空気制御弁３３を連通させた（ステップＳ６０）後、いびき抑制動作（ステップＳ７０）を行う。
【００５４】
いびき抑制動作（ステップＳ７０）の具体的な処理内容は、図３０に示されるように、例えば頭部２５が左にあると判断された場合、先ず選択用三方空気制御弁３３を動作させて左側空気袋１１ａに対して連通させる。続いて、切換用三方空気制御弁３２を給気可能な位置にした（ステップＳ７０１）後、空気ポンプ３１を作動させて（ステップＳ７０２）、左側空気袋１１ａに給気を行う。所定の空気袋給気時間が経過すれば（ステップＳ７０３）、空気ポンプ３１を停止する（ステップＳ７０４）。次いで、空気袋保持状態に移り、左側空気袋１１ａの膨張状態を一定時間保持することにより、就寝者の頭部２５を右側に向かせ、右向きの横臥姿勢への寝返りを促す。所定の保持時間が経過すれば（ステップＳ７０５）、切換用三方空気制御弁３２を排気の位置にして（ステップＳ７０６）左側空気袋１１ａ内の空気を排気させる。所定の排気時間が経過すれば（ステップＳ７０７）、一連のいびき抑制動作（ステップＳ７０）を終了する。
【００５５】
上記のいびき抑制動作（ステップＳ７０）において、空気袋保持状態（ステップＳ７０５）においてもいびき検知を行い、いびき音が低減されたことを検知した時点で、排気動作（ステップＳ７０６）を行うようにしてもよい。また、上記のいびき抑制動作（ステップＳ７０）においては、空気袋の給気時間、保持時間、排気時間として、予めマイコン４５に記憶させた既定値を読み出して設定するものとする。また、左記の規定値を基準としながら、これら時間を使用者が操作部４６、表示部４７を操作して適宜変更できるようにしてもよい。なお、本発明におけるいびき抑制制御手段は、上記ステップＳ６０及びＳ７０の処理を内容とするものである。
【００５６】
いびき抑制動作（ステップＳ７０）が終了すると、追加給気（ステップＳ８０）が行われる。この追加給気（ステップＳ８０）の具体的内容を図３１に示す。この追加給気（ステップＳ８０）では、いびき抑制動作（ステップＳ７０）が終了した後排気の位置になっている切換用三方空気制御弁３２を給気の位置に切り換え（ステップＳ８０１）、空気ポンプ３１の運転を開始し（ステップＳ８０２）、いびき抑制動作を行った側の空気袋に対して給気を行う。所定の追加給気時間が経過すれば（ステップＳ８０３）、空気ポンプ３１を停止する（ステップＳ８０４）。これにより、予備給気後と同様に、就寝者の頭部の荷重により左右の空気袋１１ａ、１１ｂに適度な内圧が発生している状態となり、次回の頭位置判定（ステップＳ５０）動作の準備が完了する。
【００５７】
追加給気（ステップＳ８０）が終了すれば、運転タイマの終了判定（ステップＳ３０）に戻り、処理のループを繰り返す。
本実施の形態によるいびき抑制用枕１によれば、以上のように構成されているので、次のような効果を奏することができる。
【００５８】
（１）  一対の空気袋１１ａ、１１ｂを枕１の左右方向の略中心部で基盤部材１２に固定しているので、枕１に対して、枕１の外側端部から枕の中央部に向かう傾斜を形成することができる。
【００５９】
（２）  一対の空気袋１１ａ、１１ｂが左右対称的に形成されているので、特許文献３に示されるような蛇行状の仕切り部を設けた場合に起こり得る、頭部２５に対する接触の仕方の左右不均等の問題や膨張量不足の問題も回避することができる。
【００６０】
（３）  また、各空気袋１１ａ、１１ｂを左右対称的に形成するとともに、枕１の左右方向の中央部で上下に重なる重畳部１６を形成するように左右対称的に配置しているので、枕１の外側端部から枕１の中央部に向かう傾斜を形成しつつ、枕１の中央部における頭部２５の持ち上げ寸法を大きく取ることが可能となる。
【００６１】
（４）  身体側の辺に設けられた留め代２２の長さＢが頭上側の辺に設けられた留め代２１の長さＡより長く形成されているので、身体側の辺部を頭上側の辺部に比し高くすることができる。したがって、就寝者の頭部２５を持ち上げるときに特に盆の窪２５ａを高く持ち上げることができるので、いびきをかいている人の気道を塞いでいる肉部を押し上げて、気道を強制的に開けることができ、いびきを速やかに止めることができる。
【００６２】
（５）  空気袋１１ａ、１１ｂは、重畳部１６における留め代２１、２２の基盤部材１２側の端部において、基盤部材１２に対し共通の固定部材により左右対称的に固定されているので、重ね合わせた他方の空気袋１１ａ、１１ｂの膨張収縮に影響されずに両空気袋１１ａ、１１ｂを固定することができる。また、固定構造が簡潔になる。
【００６３】
（６）  左右一対の空気袋１１ａ、１１ｂは、それぞれ重畳部１６に表裏２層のシートを接合したシーム部１８を備えているので、シーム部１８を備えていない左右方向の端部よりの位置を最高膨張高さ点１９とすることができ、外側端部から中央の重畳部１６に向けて高から低となる傾斜面を形成することができる。したがって、このような空気袋１１を用いると、単純に外周を接合しただけの従来の空気袋を用いた場合に比し、頭部２５が枕外に落ちる恐れが小さくなる。
【００６４】
（７）  シーム部１８を、各空気袋１１ａ、１１ｂの中央側端部から反対側端部の方向に延びる少なくとも１本の線状又は帯状の所定長さの接合部により形成しているので、簡易な構造により枕１の中央部を低くする傾斜を形成することができる。
【００６５】
（８）  また、シーム部１８が、各空気袋１１ａ、１１ｂの中央側端部から反対側端部（左右の端部）の方向に延びる所定長さの２本の直線状接合部１８ａ、１８ｂにより形成されているので、この直線状接合部１８ａ、１８ｂの長さ、本数、又は幅寸法を変更することにより空気袋１１の脹らみ及び傾斜を容易に調整することができる。
【００６６】
（９）  また、この実施の形態では、シーム部１８を構成する２本の直線状接合部１８ａ、１８ｂの端部同士を結合して、２本の直線状接合部１８ａ、１８ｂ間に空気が給気されない袋状部１８ｄを形成しているので、幅広のシーム部１８を容易に構成することができる。
【００６７】
（１０）  空気袋１１の上部に発泡ウレタンからなるクッション材１３を乗せ、基盤部材１２、空気袋１１及び発泡ウレタン製クッション材１３を積層したものを、低発泡性ウレタンからなる外側クッション材１４で巻き込んでいるので、クッション性を良好にすることができる。また、外側クッション材１４は低発泡性ウレタンにより形成されているので、就寝時、頭部２５に沿った型が形成され、就寝者の頭部２５の位置に安定感が増し、就寝者に熟睡効果をもたらせることができる。また、これら積層部材を伸縮性のある布製のカバー１５で覆っているので、積層構造を保持しやすくなる。
【００６８】
（１１）  外側クッション材１４を就寝者の身長方向に巻き込むように形成しているので、左右一対の空気袋を傾斜させた場合に一方の空気袋が膨張することにより、左右方向の何れか一方側に引っ張られても、巻き込み方向が引張力の作用する方向と直角になっているため、外側クッション材１４のずれを抑止することができる。
【００６９】
（１２）  また、外側クッション材１４は、就寝者の盆の窪当接部分１４ａが分厚く形成されているので、就寝者の盆の窪２５ａを持ち上げ易くなっている。したがって、前記身体側の留め代２２を頭上側の留め代２１より長くしていることと相俟って、より一層盆の窪２５ａを持ち上げ易くすることができ、いびきの防止より一層効果的に行うことができる。
【００７０】
（１３）  前述の空気袋１１における重畳部１６における左右方向の重なり寸法を約５ｃｍ以上に形成しているので、就寝者の体格面における個人差の影響を軽減させることができる。
【００７１】
また、本実施の形態に係るいびき抑制装置によれば、次の効果を奏することができる。
（１）  上述のような枕１を使用しているので、就寝者のいびきがいびきセンサ２８により検出されたときに、就寝者に刺激を与えることなく柔らかに就寝者の頭部２５を横向きにすることができる。また、これにより就寝者に対し横臥姿勢への寝返りを誘発し、その結果就寝者のいびき音を低減することができる。
【００７２】
（２）  いびきが検知されたときに、気圧センサ４３により左右一対の空気袋１１ａ、１１ｂそれぞれの内圧を検知して両者の気圧差を比較し、内圧が高い側に就寝者の頭部２５が載っていると判断する頭位置判定手段を備えているので、的確に頭部２５の位置を判断することができる。
【００７３】
（３）  また、頭位置判定手段により頭部２５が載っていると判断された側の空気袋１１ａ、１１ｂを、給気して一定時間膨張状態を維持し、いびきセンサ２８によりいびき音が低減した判断されたとき、あるいは、所定の保持時間を経過したときに、前記膨張状態の空気袋１１ａ、１１ｂ内の空気を排気するように制御するいびき抑制制御手段とを備えているので、適切にいびき抑制のための動作を行うことができる。
【００７４】
本実施の形態は、次のように変形して具体化することもできる。
（１）  留め代２１、２２を基盤部材１２に固定する固定部材としては、前記フック２３に限定されるものではない。例えば、留め代２１、２２の先端部に固定用の紐を通す固定孔を設けるとともに、一端を基盤部材１２に固定した固定用紐を設け、この紐の他端を前記固定孔に通して縛ることにより、留め代２１、２２の一端部を基盤部材１２に固定するようにしてもよい。また、固定部材としては、上記のほかマジックテープ（登録商標）やクリップなどを利用することもできる。
【００７５】
（２）  また、留め代２１、２２は、上記実施の形態では空気袋１１を構成するシートを延長することにより構成したが、これは軟質性材料からなる別部材で構成してもよい、このような材料としては、空気袋１１を構成するシート材料と同一のものでもよいし、他の軟質性材料からなる紐状のものとしてもよい。
【００７６】
（３）  シーム部１８の形状に関し、前述の形状に限らず表裏２枚のシートを接合する他の形状としてもよい。ただし、頭部２５に対する感触が左右で異ならないようにするために左右対称とする必要がある。
【００７７】
（４）  また、シーム部１８の数に関し、前述の１本に限らず複数設けてもよい。ただし、頭部２５に対する感触が左右で異ならないようにするために、左右同数とする必要がある。
【００７８】
（５）  また、シーム部１８を構成する直線状接合部１８ａ、１８ｂの形状に関し、２本の直線状に限るものではない。例えば、袋状部１８ｄを設けずには幅広の１本の帯状としてもよい。また、直線状でなく曲線状でもよい。
【００７９】
（６）  また、シーム部１８を構成する直線状接合部１８ａ、１８ｂの数に関し、例えば、上述の帯状とする場合のように１本で構成してもよく、また、３本以上の直線状接合部から構成してもよい。結局、シーム部１８の数及び形状、並びに、接合部の数及び形状は、空気袋１１の素材の特性や、空気袋１１の大きさ、及び形状、空気袋１１が膨張したときの設定傾斜角度及び設定高さなどにより適宜変更して決められるべきものである。
【００８０】
（７）  また、上記実施の形態においては、給排気の切換動作を切換用三方空気制御弁３２で実現し、さらに、左右の空気袋の選択動作を選択用三方空気制御弁３３で実現しているが、これら三方空気制御弁３２、３３を二方弁や四方弁あるいはその他の多方弁の組み合わせに変更してもよい。
【図面の簡単な説明】
【００８１】
【図１】本発明の実施の形態に係るいびき抑制装置の全体構成図である。
【図２】本発明の本実施の形態に係る枕の側面図である。
【図３】同枕に内蔵される空気袋が基板部材に載置された状態において、左側空気袋が膨張したときの平面図である。
【図４】図３におけるＡ−Ａ断面図である。
【図５】図３におけるＢ−Ｂ断面図である
【図６】図３におけるＣ−Ｃ断面図である
【図７】図３におけるＤ−Ｄ断面図である
【図８】図３におけるＥ−Ｅ断面図であり、図９におけるＩ−Ｉ断面図である
【図９】同枕に内蔵される空気袋が基板部材に載置された状態において、左右の空気袋が収縮したときの平面図である。
【図１０】図９におけるＦ−Ｆ断面図である。
【図１１】図９におけるＧ−Ｇ断面図である。
【図１２】図９におけるＨ−Ｈ断面図である。
【図１３】シーム部を設けた空気袋の膨張収縮の状態図であって、収縮時の平面図を示す。
【図１４】同状態図であって、膨張時の側面図を示す。
【図１５】同状態図であって、膨張時の平面図である。
【図１６】同空気袋を使用した枕の効果説明図である。
【図１７】基盤部材に対する空気袋の固定位置と空気袋の傾斜との関係を示した模式状態図であって、固定位置が基盤部材の外側位置であって、最高膨張高さ位置にある場合の傾斜状態図である。
【図１８】同模式状態図であって、固定位置が基盤部材の外側端部近傍にある場合を示す。
【図１９】同模式状態図であって、固定位置が空気袋の左右両端部にある場合を示す。
【図２０】同模式状態図であって、固定位置が基盤部材の中央部にある場合を示す。
【図２１】一対の空気袋を左右に並べて配置する場合における重畳部の作用説明図である。
【図２２】本実施の形態に係る頭上側及び身体側の各片に留め代を備えた空気袋が膨張収縮したときの模式状態図であって、空気袋収縮時のものである。
【図２３】同模式状態図における空気袋の膨張時のものである。
【図２４】枕の形態による就寝者の頭部持ち上げ状態を示した模式図で、平坦な枕の場合のものである。
【図２５】同模式図であって、頭部中央部を持ち上げるような形状の枕の場合である。
【図２６】同模式図であって、盆の窪を持ち上げるような形状の枕の場合である。
【図２７】本実施の形態に係るいびき抑制装置の動作全体を説明するフローチャートである。
【図２８】図２７における予備給気について説明するフローチャートである。
【図２９】図２７における頭位置判定について説明するフローチャートである。
【図３０】図２７におけるいびき抑制動作について説明するフローチャートである。
【図３１】図２７における追加給気について説明するフローチャートである。
【図３２】単純に外周を接合しただけの空気袋の膨張前の平面図である。
【図３３】同空気袋の膨張前の正面図（就寝者の頭部側から見た図）である。
【図３４】同空気袋の膨張時の平面図である。
【図３５】同空気袋を左側空気袋に用いた枕であって、同左側空気袋が膨張したときの枕の模式正面図（就寝者の頭部側から見た図）である。
【図３６】従来の医療用マットの膨張前の平面図である。
【図３７】同医療用マットの右側空気室を膨張させたときの正面図（就寝者の頭部側から見た図）である。
【図３８】同医療用マットにおける蛇行状の仕切をそのままの粗さで枕用空気袋に適用した場合の平面図である。
【図３９】同枕用空気袋の右側が膨張したときの正面図である。
【図４０】同医療用マットにおける蛇行状の仕切を細かくした状態で枕用空気袋に適用した場合の平面図である。
【図４１】同枕用空気袋の右側が膨張したときの正面図（就寝者の頭部側から見た図）である。
【符号の説明】
【００８２】
１  （いびき抑制用）枕
２  制御装置
１１  空気袋
１１ａ  左側空気袋
１１ｂ  右側空気袋
１２  基盤部材
１３  クッション材
１４  外側クッション材
１４ａ  盆の窪当接部分
１５  カバー
１６  重畳部
１８  シーム部
２１  頭上側留め代
２２  身体側留め代
２５  頭部
２５ａ  盆の窪
２８  いびきセンサ
３１  空気ポンプ
３２  切換用三方空気制御弁
３３  選択用三方空気制御弁
４３  気圧センサ
Ａ  頭上側留め代の長さ
Ｂ  身体側留め代の長さ
【図１】
2006026024.tif 000003
【図２】
2006026024.tif 000004
【図３】
2006026024.tif 000005
【図４】
2006026024.tif 000006
【図５】
2006026024.tif 000007
【図６】
2006026024.tif 000008
【図７】
2006026024.tif 000009
【図８】
2006026024.tif 000010
【図９】
2006026024.tif 000011
【図１０】
2006026024.tif 000012
【図１１】
2006026024.tif 000013
【図１２】
2006026024.tif 000014
【図１３】
2006026024.tif 000015
【図１４】
2006026024.tif 000016
【図１５】
2006026024.tif 000017
【図１６】
2006026024.tif 000018
【図１７】
2006026024.tif 000019
【図１８】
2006026024.tif 000020
【図１９】
2006026024.tif 000021
【図２０】
2006026024.tif 000022
【図２１】
2006026024.tif 000023
【図２２】
2006026024.tif 000024
【図２３】
2006026024.tif 000025
【図２４】
2006026024.tif 000026
【図２５】
2006026024.tif 000027
【図２６】
2006026024.tif 000028
【図２７】
2006026024.tif 000029
【図２８】
2006026024.tif 000030
【図２９】
2006026024.tif 000031
【図３０】
2006026024.tif 000032
【図３１】
2006026024.tif 000033
【図３２】
2006026024.tif 000034
【図３３】
2006026024.tif 000035
【図３４】
2006026024.tif 000036
【図３５】
2006026024.tif 000037
【図３６】
2006026024.tif 000038
【図３７】
2006026024.tif 000039
【図３８】
2006026024.tif 000040
【図３９】
2006026024.tif 000041
【図４０】
2006026024.tif 000042
【図４１】
2006026024.tif 000043